(57)【特許請求の範囲】
【請求項１】
所定の光学特性を有するレンズ領域を含んで構成されて正面視で略円形とされる光学部と、該光学部から外周側に向かって延び出して眼内への挿入状態下で嚢の外周部分の内面に当接せしめられることにより該光学部を嚢内で位置決め保持せしめる支持部とが、折畳みやロールが可能な軟質材料で一体形成されてなるワンピース型の眼内レンズにおいて、
前記軟質材料として粘着性材料を採用すると共に、前記光学部の外周側で周方向に湾曲して延び出す細長い線形状をもって前記支持部を形成する一方、変形により該光学部に重なる該支持部の突出先端部分における前後方向の少なくとも一方の面において該光学部への重なりに際しての粘着力を低減する凹凸を有する粘着低減部を設けたことを特徴とする眼内レンズ。
【請求項２】
前記粘着低減部が前記支持部の前面および後面の何れか一方の面にのみ形成されている請求項１に記載の眼内レンズ。
【請求項３】
前記支持部の前後方向の少なくとも一方の面において該支持部の幅方向両側に亘って延びる少なくとも一つの突条を含んで、前記凹凸が形成されている請求項１又は２に記載の眼内レンズ。
【請求項４】
前記支持部の前後方向の少なくとも一方の面に形成されて該支持部の幅方向に延び、その両端部が該支持部の幅方向両側面に開放された凹溝を含んで、前記凹凸が形成されている請求項１乃至３の何れかに記載の眼内レンズ。
【請求項５】
前記支持部の前後方向の少なくとも一方の面に形成された粗面部を含んで、前記凹凸が形成されている請求項１乃至４の何れかに記載の眼内レンズ。
【請求項６】
前記支持部が矩形断面を有しており、前記粘着低減部を構成する前記凹凸が設けられる前後方向の面が平坦面とされている請求項１乃至５の何れかに記載の眼内レンズ。
【発明の詳細な説明】
【技術分野】
【０００１】
本発明は、光学部と支持部が軟質材料によって一体形成されて、折畳んだり丸めたりすることで変形させてコンパクト化して眼内に挿入することが出来るようにされたワンピース型の眼内レンズに関するものである。
【従来技術】
【０００２】
従来から眼疾患の一種である白内障の治療において、水晶体を除去するとともに、水晶体の代替品として眼内レンズを用いる方法が広く知られている。かかる眼内レンズは、水晶体を除いた嚢の内部に挿入されて使用され、水晶体の機能の代わりをする光学部とかかる光学部を嚢内で位置決め固定する支持部を有している。
【０００３】
このような眼内レンズを用いた白内障治療においては、患者の眼の一部を切開し、この切開部から水晶体を取り出した後、眼内レンズを嚢内に挿入するようにされる。その際、手術による患者への負担や後遺症の回避のために手術時の切創が小さいほうが良い。しかしながら、手術時に切開部を小さくしたとしても、挿入される眼内レンズの大きさが切開部のサイズに比して大きければ、折角小さくした切開部を挿入時に拡げなくてはならなくなる。
【０００４】
そこで、近年では、小さな切開部からでも容易に挿入できるように、弾性と柔軟性を有する材料によって形成されたフォールダブルタイプの眼内レンズが好適に用いられるようになっている。このような眼内レンズは、挿入時に折り畳まれたり丸められて切開部から嚢内に挿入された後、嚢内においてその弾性により初期の形状に戻ることで支持部が嚢内で展開されて、位置決め固定されるようになっている。
【０００５】
また、最近では、フォールダブルタイプの眼内レンズは、特定の挿入器具を用いて眼内へ挿入される場合が多い。このような挿入器具を用いた挿入では、フォールダブルタイプの眼内レンズは、例えば、一対の支持部を前後方向にして、挿入器具にセットされた後、前後方向に延びる軸を中心として折り畳んだり丸めたりすることにより、幅方向でコンパクト化される。そして、セットされた眼内レンズは、光学部の後端がプランジャで押されて眼内へ挿入されるが、この際、細長い形状とされた支持部は、損傷しないように後端側の支持部が予め光学部上に折り曲げられて重ね合わせられることも多い。また、プランジャで光学部後端が後方から押されると、前端側の支持部は、挿入器具の周壁との摩擦等により後方に折り曲げられ易く、前方側の支持部も光学部上に重ね合わせられることが多い。このように、眼内レンズを嚢内に挿入する際には、一般に、光学部上に支持部が重ね合わせられることとなる。
【０００６】
ところで、眼内レンズの材料としては、シリコン系重合体等も検討されているが、特に生体親和性や光学特性或いは後遺症抑制等の点で有利とされるアクリル系重合体を用いたフォールダブルタイプの眼内レンズの採用が検討されている。
【０００７】
しかしながら、このような重合成分の一部にアクリル酸エステルやメタクリル酸エステルを用いて重合して得られるアクリル系重合体を採用してなる眼内レンズは、多くの場合、シリコン系重合体に比して大きな粘着性を有している。そのために、眼内レンズを嚢内に挿入する際に眼内レンズの折畳みやロール（丸めや巻上げ等を含む）を行うと、光学部や支持部の重ね合わせられた面同士が粘着して、それら光学部や支持部が有する弾性によっても初期の形状に復元しないおそれがあった。特に、支持部は、細長いロッド状とされているため、折畳みやロールを可能とするだけの柔軟性と、粘着を解除するのに十分な復元力を兼ね備えることが困難であった。なお、粘着が容易に解除されるようにするために、支持部を大きくすることも考えられるが、支持部を大きくすると折畳みやロールが難しくなるだけでなく、嚢内への挿入時の切開創も大きくなってしまい患者の負担も大きくなるという問題がある。
【０００８】
このような問題に対処するために、例えば特許文献１（特開平１１−７０１３０号公報）には、光学部を中心部と外周部に区分して、中心部を粘着質の部分とすると共に、外周部を非粘着質の部分とした眼内レンズが提案されている。かかる眼内レンズにおいては、少なくとも非粘着質の部分には、支持部等の重ね合せによる粘着を回避することが出来るとされている。
【０００９】
ところが、このような特許文献１に記載の眼内レンズでは、粘着質の部分と非粘着質の部分を区分けして形成するために、ワンピース型の眼内レンズの利点である生産性の高さを有効に確保することが難しい。更に、少なくとも光学部の中心部が粘着質であることから、そこに支持部が重なって粘着し易く、特に現場での実情を考慮すると、支持部の光学部への粘着回避の効果は、余り期待することが出来ない。
【００１０】
【特許文献１】特開平１１−７０１３０号公報
【発明の開示】
【発明が解決しようとする課題】
【００１１】
ここにおいて、本発明は、上述の如き事情を背景として為されたものであって、その解決課題とするところは、眼内レンズにおける支持部の光学部に対する粘着が効果的に回避されることにより、アクリル系重合体等の粘着力の大きい材料からなる眼内レンズを、良好な作業性等をもって有利に実現せしめ得る、新規な構造のワンピース型眼内レンズを提供することにある。
【課題を解決するための手段】
【００１２】
以下、このような課題を解決するために為された本発明の態様を記載する。なお、以下に記載の各態様において採用される構成要素は、可能な限り任意な組み合わせで採用可能である。また、本発明の態様乃至は技術的特徴は、以下に記載のものに限定されることなく、明細書全体および図面に記載されたもの、或いはそれらの記載から当業者が把握することの出来る発明思想に基づいて認識されるものであることが理解されるべきである。【００１３】
すなわち、眼内レンズに関する本発明の第一の態様は、所定の光学特性を有するレンズ領域を含んで構成されて正面視で略円形とされる光学部と、該光学部から外周側に向かって延び出して眼内への挿入状態下で嚢の外周部分の内面に当接せしめられることにより該光学部を嚢内で位置決め保持せしめる支持部とが、折畳みやロールが可能な軟質材料で一体形成されてなるワンピース型の眼内レンズにおいて、前記軟質材料として粘着性材料を採用すると共に、前記光学部の外周側で周方向に湾曲して延び出す細長い線形状をもって前記支持部を形成する一方、変形により該光学部に重なる該支持部の突出先端部分における前後方向の少なくとも一方の面において該光学部への重なりに際しての粘着力を低減する凹凸を有する粘着低減部を設けたことを、特徴とする。
【００１４】
このような本態様に従う構造とされた眼内レンズでは、支持部の前後方向の少なくとも一方の面に凹凸を有する粘着低減部が形成されていることにより、支持部と支持部に重ね合わせられる部分、例えば、光学部の光学面等との当接面積が小さく抑えられて、支持部が重ね合わせられた面に強く粘着することを有利に回避することが出来る。【００１５】
すなわち、軟質材料で形成された眼内レンズは、折畳みやロールによってコンパクト化された状態で眼内へ挿入されることから、かかる折畳みや巻上げによって支持部が光学部上に折り畳まれて光学面に粘着し、眼内への挿入後にも粘着状態が解除されず、初期の形状に復元しないといった問題が生じ得る。そこで、本態様に従う構造とされた眼内レンズでは、特に復元力が不足し易い支持部の粘着低減を目的として、支持部の一部に凹凸によって構成された粘着低減部を形成したのである。このような凹凸状の粘着低減部を支持部に設けることにより、支持部と光学部などとの当接面積が減少し、粘着力の低減を図ることが可能となるのである。【００１６】
このような粘着の抑制を目的として形状的に特定の構造をもって粘着低減部を設けるという技術的な思想は、従来には全くない新規な技術思想であり、かかる新規な技術思想に基づく本発明は、技術の豊富化の主旨より十分な技術的意義が認められるものであるが、特に、本発明のように、粘着の低減を特定構造の粘着低減部を形成することで実現することにより、白内障手術を受ける患者，白内障手術を行う術者，眼内レンズの設計者のそれぞれに対して以下の如き有効な効果を発揮せしめることが出来る。【００１７】
第１に、眼内レンズを使用する白内障の患者に対しては、眼内レンズの眼内への挿入後における自動的な展開が、高い信頼性をもって実現されることとなる。それ故、白内障手術の安全性をより高めることが可能となる。また、粘着質の材料を眼内レンズの材料として有利に採用可能となるため、白内障の後遺症の一種で光学部を嚢の内面に密着せしめることによって発症率を低下させることが可能であると考えられている後発白内障の発症抑制効果も期待することが出来るのである。【００１８】
第２に、眼内レンズを患者の眼内に挿入する術者に対しては、信頼性の高いレンズを提供することによって術者に安心感を与えると共に、眼内レンズの展開不良に関する手術中の事故を回避して、術者の精神的又は肉体的な負担を低減することが出来る。【００１９】
第３に、眼内レンズの設計者に対しては、眼内レンズを設計において、眼内での形状の復元性を維持するために粘着質の材料を回避することなく、粘着質の材料を積極的に適宜に選択して採用することを可能とすることが出来る。それ故、眼内レンズの設計自由度を大きく取ることが出来て、設計者に自由な設計を許容することが出来るのであり、例えば、粘着質の材料を使用した眼内レンズにおける高い生体適合性や後発白内障抑制効果などの優れた効果を備えた眼内レンズの提供が可能となるのである。【００２１】
このような本態様に従う構造とされた眼内レンズにおいては、少なくとも支持部の突出先端部分に粘着低減部を形成することにより、眼内への眼内レンズの挿入時における折畳みやロール状態で、眼内レンズの他の部位、例えば、光学部の光学面等に重ね合わせられて当接せしめられ易い支持部の先端部分において、当接面積を小さく抑えることが出来る。それ故、眼内への挿入後に支持部の粘着状態がより確実に解除されて、眼内の所定位置に眼内レンズを安定して配置せしめることが出来る。【００２２】
また、本発明の第二の態様は、前記第一の態様に係る眼内レンズにおいて、前記粘着低減部が前記支持部の前面および後面の何れか一方の面にのみ形成されていることを、特徴とする。
【００２３】
このような本態様に従う構造とされた眼内レンズにおいては、支持部に設けられる粘着低減部が光軸方向における一方の面にのみ形成されていることにより、粘着低減部を形成することによっても、粘着低減部の形成箇所における支持部の光軸方向での厚さ寸法が必要以上に大きくなることを防ぐことが出来て、折畳みやロールによる眼内レンズのコンパクト化を有利に実現することが出来る。【００２４】
また、本発明の第三の態様は、前記第一又は第二の態様に係る眼内レンズにおいて、前記支持部の前後方向の少なくとも一方の面において該支持部の幅方向両側に亘って延びる少なくとも一つの突条を含んで、前記凹凸が形成されていることを、特徴とする。
【００２５】
このような本態様に従う構造とされた眼内レンズにおいては、眼内への挿入時などに眼内レンズが折り畳まれて、支持部が光学部等に重ね合わせられる場合に、粘着低減部が凸条とされていることにより、粘着低減部の光学部に対する当接状態をより安定して確保することが出来て、支持部の眼内での初期形状への復元を一層確実に実現することが出来る。【００２６】
なお、前述の第一の態様等においては、凹凸として、一つ或いは複数の突起を採用することも可能であり、突条を採用する場合に比して、突起を採用した場合には、支持部が光学部等に接する面積を有利に小さくすることが出来て、より確実に眼内レンズの眼内における初期形状への復元を実現することが出来るという効果も期待できる。【００２７】
また、本発明の第四の態様は、前記第一乃至は第三の何れかの態様に係る眼内レンズにおいて、前記支持部の前後方向の少なくとも一方の面に形成されて該支持部の幅方向に延び、その両端部が該支持部の幅方向両側面に開放された凹溝を含んで、前記凹凸が形成されていることを、特徴とする。
【００２８】
このような本態様に従う構造とされた眼内レンズにおいては、凹溝によって粘着低減部を形成することにより、粘着低減部の形成箇所における支持部の厚肉化を有利に回避することが出来て、眼内への挿入時におけるコンパクト化を有利に実現できる。【００２９】
しかも、独立した凹所ではなく、幅方向両側面に開口するように延びる凹溝とされていることから、光学部に重ね合わせられた場合にも、吸盤の如く吸着力を発揮して支持部の光学部に対する粘着状態が強固になってしまうことが回避されて、支持部の展開（光学部からの離脱）を安定して実現することが出来る。【００３０】
また、本発明の第五の態様は、前記第一乃至第四の何れかの態様に係る眼内レンズにおいて、前記支持部の前後方向の少なくとも一方の面に形成された粗面部を含んで、前記凹凸が形成されていることを、特徴とする。
【００３１】
このような本態様に従う構造とされた眼内レンズにおいては、粘着低減部が、支持部に粗面加工を施すことによって構成されていることにより、支持部に粘着低減部を設けることによる光軸方向での支持部の厚肉化をより有利に防ぐことが出来る。【００３２】
また、支持部に対して粗面加工を施すことにより、液体中に挿入された場合にも、十分な視認性を確保することが出来ることから、眼内レンズの眼内への挿入後における操作を容易に行うことが出来て、術者の負担を軽減することが出来る。【００３３】
すなわち、従来から、房水等によって充填されて実質的に液体中となる眼内での眼内レンズの位置合せ作業は、透明または僅かに黄色に着色された眼内レンズでは非常に視認性が低いことから、作業が困難であって、術者負担の増大等が問題となっていた。このような問題を解決すべく、スリーピース型の眼内レンズでは、支持部を液中での視認性が高い青色に着色する方法が提案されているが、ワンピース型の眼内レンズでは、光学部と支持部が一体的に構成されているため、その全体が略透明とされており、視認性の向上が困難であった。また、支持部の材料を光学部とは異なる材料とすることも考えられるが、別材料を用いるとワンピース型の眼内レンズの生産性の高さ等の利点が有効に発揮されなくなるおそれがある一方、支持部と光学部を同じ材料としつつ、支持部の視認性を確保しようとすると、材料の限定を余儀なくされるおそれもあって、材料による視認性の向上は難しかったのである。ここにおいて、本発明では、支持部の形状を巧く設定することによって、光学部などに対する支持部の粘着低減による効果を有効に得つつ、支持部の透明性を低下させて、液中における視認性の向上を実現することが出来るのである。これによれば、眼内への挿入後においても容易に眼内レンズを操作することが出来て、位置合せ等の作業をスムーズに行うことを可能とすることが出来る。それ故、術者の負担を軽減すると共に、作業を簡単化することにより手術の安全性向上に寄与することが出来て、患者のリスク低減を実現することが出来るのである。【００３４】
また、支持部に対して粗面加工を施すことにより、支持部におけるグレアの発生を有効に低減乃至は回避することも出来る。即ち、眼内レンズの装用状態では、光学部の外周部分における入射光の散乱によって、注視している対象の細部が不明瞭になる等、視覚に障害を与えるグレアが発生する場合がある。このようなグレアは、支持部への入射光の散乱によっても発生すると考えられており、特に暗所で瞳孔が拡径している場合には視覚の不明瞭さ等の一因となるおそれがある。ここにおいて、本態様に係る眼内レンズでは、支持部に粗面加工を施すことにより光の透過を防止して、グレアの発生を防止することが出来るのである。特に、より光学部に近い支持部の基端部分を含む部分に対して粗面加工を施すことにより、より効果的に支持部におけるグレアの発生を防ぐことが可能となる。
【発明の効果】
【００３５】
上述の説明から明らかなように、本発明に従う構造とされた眼内レンズにあっては、支持部に形成された粘着低減部によって、眼内レンズの嚢への挿入時における折畳みやロールなどに伴う光学部と支持部の重ね合わせ面間での強い粘着を防ぐことが出来る。それ故、嚢の内部への挿入後に支持部が初期の形状に容易に復元され得ることとなり、光学部を嚢の内部において所定の位置に容易に且つ安定して位置決め支持せしめることが出来る。
【図面の簡単な説明】
【００３６】
【図１】本発明の第一の実施形態としての眼内レンズを示す正面図である。
【図２】図１に示された眼内レンズの背面図である。
【図３】図１に示された眼内レンズの側面図である。
【図４】本発明の第二の実施形態としての眼内レンズの要部を示す側面図である。
【図５】図４に示された眼内レンズの要部を示す背面図である。
【図６】本発明の第三の実施形態としての眼内レンズの要部を示す側面図である。
【図７】図６に示された眼内レンズの要部を示す背面図である。
【図８】本発明の第四の実施形態としての眼内レンズの要部を示す背面図である。
【図９】本発明の第五の実施形態としての眼内レンズの要部を示す側面図である。
【図１０】図９に示された眼内レンズの要部を示す背面図である。
【図１１】本発明の第六の実施形態としての眼内レンズの要部を示す側面図である。
【図１２】図１１に示された眼内レンズの要部を示す背面図である。
【図１３】本発明の第七の実施形態としての眼内レンズの要部を示す側面図である。
【図１４】図１３に示された眼内レンズの要部を示す背面図である。
【図１５】本発明の第八の実施形態としての眼内レンズの要部を示す側面図である。
【図１６】図１５に示された眼内レンズの要部を示す背面図である。
【図１７】本発明の第九の実施形態としての眼内レンズの要部を示す側面図である。
【図１８】図１７に示された眼内レンズの要部を示す背面図である。
【図１９】本発明の第十の実施形態としての眼内レンズの要部を示す側面図である。
【図２０】図１９に示された眼内レンズの要部を示す背面図である。
【図２１】本発明の第十一の実施形態としての眼内レンズの要部を示す側面図である。
【図２２】図２１に示された眼内レンズの要部を示す背面図である。
【図２３】本発明の第十二の実施形態としての眼内レンズの要部を示す側面図である。
【図２４】図２３に示された眼内レンズの要部を示す背面図である。
【図２５】本発明の第十三の実施形態としての眼内レンズの要部を示す背面図である。
【図２６】本発明の別の一実施形態としての眼内レンズの要部を示す側面図である。
【図２７】図２６に示された眼内レンズの要部を示す背面図である。
【図２８】本発明の別の一実施形態としての眼内レンズの要部を示す側面図である。
【図２９】図２８に示された眼内レンズの要部を示す背面図である。
【図３０】本発明の別の一実施形態としての眼内レンズの要部を示す側面図である。
【図３１】図３０に示された眼内レンズの要部を示す背面図である。
【図３２】本発明の別の一実施形態としての眼内レンズの要部を示す側面図である。
【図３３】図３２に示された眼内レンズの要部を示す背面図である。
【図３４】本発明の別の一実施形態としての眼内レンズの要部を示す側面図である。
【図３５】図３４に示された眼内レンズの要部を示す背面図である。
【図３６】本発明のまた別の一実施形態としての眼内レンズの背面図である。
【図３７】本発明のまた別の一実施形態としての眼内レンズの背面図である。
【図３８】本発明のまた別の一実施形態としての眼内レンズの背面図である。
【図３９】本発明のまた別の一実施形態としての眼内レンズの背面図である。
【符号の説明】
【００３７】
１０  眼内レンズ
１２  光学部
１６  支持部
２６  支持部前面
２８  支持部後面
３２  突起部
３４  突条部
３６  凹溝
３８  粗面部
【発明を実施するための最良の形態】
【００３８】
以下、本発明を更に具体的に明らかにするために、本発明の実施形態について、図面を参照しつつ、詳細に説明する。【００３９】
先ず、図１〜図３には、本発明の第一の実施形態としてのフォールダブルタイプの眼内レンズ１０が示されている。この眼内レンズ１０は、光学部１２と一対の連結部１４，１４と一対の支持部１６，１６を含んで構成されている。【００４０】
なお、このように光学部１２と連結部１４，１４と支持部１６，１６を有する眼内レンズ１０は、フォールダブルタイプの眼内レンズを与えるのに十分な可視光線の透過率を備えていることに加えて、優れた軟質性と或る程度の弾性を備えた各種の材料によって形成され得る。好ましくは、ガラス転移温度が３０℃以下で、且つ、屈折率が１．５１以上である軟質材料で形成される。このような軟質材料では、常温下で眼内レンズ１０を容易に折り畳んだり丸めたりして、一層コンパクトにすることが可能となり、埋植時における眼内への挿入を一層容易に行うことが出来る。特に本実施形態では、常温で粘着性を有するアクリル系重合体が好適に採用される。【００４１】
具体的には、特開平１０−２４０９７号公報や特許第３４９４９４６号公報等に記載されているものが、本発明に係る眼内レンズ１０の成形材料として好適に採用される。その中でも、形状回復性に優れた眼内レンズを得るために、以下（ｉ）に示す如き（メタ）アクリル酸エステルを、一種又は二種以上含むモノマーを採用することが望ましい。また、以下（ii）に示す如き任意モノマーが適宜に配合される。更に、必要に応じて、以下（iii)に示す如き添加物が必要に応じて加えられる。【００４２】
（ｉ）含有モノマー
以下の如き、直鎖状，分岐鎖状又は環状のアルキル（メタ）アクリレート類；
メチル（メタ）アクリレート、エチル（メタ）アクリレート、ブチル（メタ）アクリレート、シクロヘキシル（メタ）アクリレート等
以下の如き、水酸基含有（メタ）アクリレート類；
ヒドロキシエチル（メタ）アクリレート、ヒドロキシブチル（メタ）アクリレート、ジエチレングリコールモノ（メタ）アクリレート等
以下の如き、芳香環含有（メタ）アクリレート類；
フェノキシエチル（メタ）アクリレート、フェニル（メタ）アクリレート、フェニルエチル（メタ）アクリレート等
以下の如き、フッ素含有（メタ）アクリレート類；
トリフルオロエチル（メタ）アクリレート、テトラフルオロプロピル（メタ）アクリレート等
以下の如き、シリコン含有（メタ）アクリレート類；
トリメチルシロキシジメチルシリルメチル（メタ）アクリレート、トリメチルシロキシジメチルシリルプロピル（メタ）アクリレート等
なお、「（メタ）アクリレート」とは、「・・・アクリレート」並びに「・・・メタクリレート」の二つの化合物を総称するものであり、後述するその他の（メタ）アクリル誘導体についても同様とする。【００４３】
（ii）任意モノマー
以下の如き、（メタ）アクリルアミドまたはその誘導体；
（メタ）アクリルアミド、Ｎ，Ｎ−ジメチル（メタ）アクリルアミド等
以下の如き、Ｎ−ビニルラクタム類；
Ｎ−ビニルピロリドン等
スチレンまたはその誘導体
以下の如き、架橋性モノマー；
ブタンジオールジ（メタ）アクリレート、エチレングリコールジ（メタ）アクリレート【００４４】
（iii)添加物
熱重合開始剤、光重合開始剤、光増感剤等
色素等
紫外線吸収剤等【００４５】
また、このようなモノマー材料を用いて、図示されている如き眼内レンズ１０を一体成形するに際しては、従来から公知の各種手法が何れも採用可能であり、例えば切削加工成形法やモールド成形法によって目的とする眼内レンズ１０を得ることが出来る。切削加工成形法によれば、上述の如きモノマー材料からなる所定の重合成分を重合して棒状やブロック状，板状等の適当な形状のレンズブランクスを成形した後、旋盤等を用いて、かかるレンズブランクに対して切削加工を施すことにより、所望形状の眼内レンズ１０を得ることが出来る。また、モールド成形法によれば、目的とする眼内レンズ１０の形状に対応した成形キャビティを有する成形型を用いて、上述の如きモノマー材料からなる所定の重合成分を、その成形キャビティ内に導入し、そこで適当な重合操作を実施することによって、所望形状の眼内レンズ１０を得ることが出来る。特に本実施形態における眼内レンズ１０では、常温で粘着性を示すアクリル系重合体を材料として選択することから、製造性を良好に保つために、前記のモールド成形法が好適に採用される。なお、モノマー材料の重合方法としては、モノマー材料に応じて、従来から公知の熱重合方法や光重合方法、或いはそれらを組み合わせた重合方法等が適宜に採用される。【００４６】
上述の如くして一体成形された眼内レンズ１０において、光学部１２は、正面視が円形を呈する略円盤形状とされている。この光学部１２の中央部分又はその全体の領域が、人の眼の水晶体の代替機能を果たす光学特性を備えたレンズ領域とされている。なお、光学部１２のレンズ面（光学部前面１８および光学部後面２０）は、要求される光学特性に応じて各種形状とされ得、その両面１８，２０の形状が、凹面や凸面，平面等を任意に組み合わせて設定される。本実施形態では、光学部前面１８と光学部後面２０が何れも球状凸面とされた凸レンズ形状の光学部１２が採用されている。なお、本実施形態に係る眼内レンズ１０において、前面とは眼内レンズ１０の嚢への挿入状態で角膜側に位置する面をいい、後面とは眼内レンズ１０の嚢への挿入状態で網膜側に位置する面をいう。【００４７】
ここにおいて、光学部１２の外径寸法：Ｄは、挿入される人の嚢のサイズ等を考慮して、４．５〜７．５ｍｍとすることが好ましい。また、光学部の光軸方向（図２中の上下方向）の肉厚寸法（厚さ）：ｄは、折畳みやロール等の作業性や光学特性等を考慮して、最大値で０．１〜２．０ｍｍとすることが好ましい。【００４８】
さらに、光学部１２の外周縁部には、周方向に所定の長さで延びる一対の連結部１４，１４が光学部１２の径方向一方向で対向位置するように突出形成されている。連結部１４は、全体として正面視略台形状とされており、その突出先端側が周方向で次第に狭幅となるようにされている。【００４９】
また、連結部１４は、光軸方向における一方の側（光学部前面１８側）の面である連結部前面２２が外周側に向かって次第に光軸方向前面側に傾斜する傾斜面で構成されていると共に、他方の面である連結部後面２４が光軸直交方向に広がる平坦面で構成されており、連結部１４が全体として外周側に向かって次第に厚肉となっている。【００５０】
なお、連結部１４内周縁部における光軸方向での肉厚寸法（厚さ）は、光学部１２外周縁部での光軸方向の肉厚寸法（厚さ）と略同じとされている。また、連結部１４の外周面は、それぞれ光学部１２の外周形状に沿うようにして周方向で円弧状に湾曲していると共に、周方向両側は、光学部１２の外周面に対して滑らかに接続されている。【００５１】
一方、一対の連結部１４，１４の各外周側壁面には、一対の支持部１６，１６が一体的に形成されている。これら一対の支持部１６，１６は、細長いロッド形状とされており、連結部１４，１４の周方向略中央部分から光学部１２の径方向外方に向かってそれぞれ突出せしめられていると共に、光学部１２の周方向に沿うように湾曲して延びている。また、眼内レンズ１０の嚢内への挿入状態において、支持部１６，１６で角膜側に位置する面が支持部前面２６とされていると共に、網膜側に位置する面が支持部後面２８とされている。更に、一対の支持部１６，１６の湾曲せしめられた部分の外周側面が、当接面３０，３０とされており、眼内レンズ１０の眼内への挿入状態において、眼内で嚢の内面に当接せしめられるようになっている。これにより、本実施形態における光学部１２が一対の支持部１６，１６によって嚢の内部で所定の位置に位置決め支持されている。【００５２】
また、本実施形態における支持部１６，１６では、その突出先端部分に粘着低減部としての突起部３２，３２が形成されている。かかる突起部３２は、支持部１６の突出先端部分において、支持部後面２８から突出するように形成されており、特に本実施形態では略半球形状とされている。【００５３】
また、各支持部１６，１６の肉厚寸法（厚さ）が、連結部１４，１４の外周側端部の肉厚寸法よりも薄くされており、本実施形態では、光学部１２の外周縁部における肉厚寸法よりも僅かに厚肉とされている。更に、各支持部１６，１６は、連結部１４，１４の外周側端面における連結部前面２２側の端部から延び出すように形成されている。要するに、支持部１６，１６の光軸方向一方の側の面である一対の支持部前面２６，２６が、一対の連結部前面２２，２２の外周側端縁と光軸直角方向に広がる略同一平面上に位置せしめられていると共に、支持部１６，１６の光学軸方向他方側の面である一対の支持部後面２８，２８が一対の連結部後面２４，２４よりも光軸方向で前面側に偏倚して位置せしめられている。【００５４】
上述の如き構造とされた眼内レンズ１０は、光学部１２と支持部１６，１６を含む全体が適当な方向に折り畳まれたり、ロール状等に丸められたりすることにより、全体のサイズを小さくすることが可能とされている。そして、良く知られているように、人の眼の一部を切開して、そこから水晶体を吸引等で除去せしめた後、かかる切開創を通じて、小サイズ化した眼内レンズ１０を、眼内に挿し入れる。この挿し入れの操作は、必要に応じて適当な周知の挿入器具（例えば特開平２−１５６９４３号公報や特表平９−５０８８１０号公報等に記載のインジェクター）を利用して行われる。【００５５】
このような挿入器具を用いた眼内レンズ１０の眼内への挿入では、眼内レンズ１０を一対の支持部１６，１６が挿入方向で前後に位置するようにされて、それら一対の支持部１６，１６の対向方向に延びる軸を中心として、眼内レンズが折り畳まれたり、丸められたりすることにより、眼内レンズ１０における一対の支持部１６，１６の対向方向に略直交する方向での小サイズ化が有利に図られる。このようにコンパクトに折り畳まれ、或いは丸められて長手状とされた眼内レンズ１０は、長手方向である一対の支持部１６，１６の対向方向が挿入方向となるように挿入器具にセットされる。そして、挿入器具にセットされた眼内レンズ１０は、その挿入方向後方端部をプランジャで押されることにより、眼内へ押し込まれることとなる。【００５６】
ここにおいて、光学部１２の外周縁部から一対の支持部１６，１６が挿入方向両側に向かって突出した状態でプランジャで眼内レンズ１０を後方から押し込むと、挿入方向後端側の支持部１６にプランジャの押圧力が作用して破損するおそれがあることから、挿入方向後方側の支持部１６は予め折り曲げられて、光学部１２の光学面上に重ね合わせられた状態で眼内に挿入される場合が多い。なお、挿入時には、挿入方向後端に位置する光学部１２の外周縁部をプランジャによって押し込むことにより、眼内レンズ１０が眼内に挿入されることとなる。【００５７】
また、挿入方向前方側の支持部１６は、プランジャによって眼内レンズが押し込まれると、挿入器具の周壁との摩擦等によって後方に折れ曲がり易いことから、折れ曲がった支持部１６が光学部１２の光学面上に重ね合わせられることとなる。これによって、本実施形態における眼内レンズ１０は、挿入方向両側に突出する一対の支持部１６，１６が何れも折り曲げられて、光学部１２の光学面上に重ね合わせられた状態で眼内へ挿入されることとなる。【００５８】
ところで、常温で粘着性を示すアクリル系重合体を材料に含む眼内レンズ１０では、光学部１２や支持部１６，１６における折畳みやロールによって重ね合わせられた部分が相互に粘着する場合がある。特に従来構造の支持部では、眼内レンズの挿入時に、上述の如く折り曲げられて光学部に重ね合わせられることから、光学部の光学面に粘着し易かったが、細長いロッド形状とされた支持部では、粘着状態を解除することが出来る程度に十分な弾性力を付与することが困難であり、眼内への挿入後においても弾性力によって自然に初期の形状に復元することが困難となるおそれがあった。【００５９】
しかしながら、本実施形態に従う構造とされた眼内レンズ１０では、光学部１２の光学面に重ね合わせられる支持部１６，１６の先端部分に突起部３２，３２が形成されている。これにより、粘着性を示すアクリル系重合体を採用する眼内レンズ１０であっても、支持部１６，１６の光学部１２に対する粘着が眼内における支持部１６，１６の展開不良などの問題を生じ難い。即ち、光学部前面１８に対して支持部後面２８，２８が重ね合わせられると、支持部１６，１６の先端において後面側に突出形成された突起部３２，３２が光学部前面１８に当接することとなって、光学部１２と支持部１６，１６が部分的に接することとなり、支持部後面２８，２８の全体が光学部前面１８に当接せしめられる場合に比して当接面積が非常に小さくなる。しかも、特に本実施形態における突起部３２，３２は、略半球形状を有していることから、光学部前面１８に対して、突起部３２，３２の突出先端における一点で当接するような状態となって、一層有利に当接面積を小さくすることが出来るようになっている。それ故、本実施形態に係る眼内レンズ１０では、支持部１６，１６が挿入時に光学部１２上に折り畳まれても、支持部１６，１６と光学部１２との間に作用する粘着力が十分に小さくなって粘着し難くなると共に、仮に粘着しても、眼内への挿入後には支持部１６，１６が有する弾性力で容易に粘着が解除されて、初期の形状に復元可能とされている。【００６０】
なお、本実施形態における眼内レンズ１０では、眼内における眼内レンズの初期形状への復元が、特別な作業を必要とすることなく有利に実現されるようになっているが、眼内での眼内レンズ１０の展開後に、必要に応じて適当な器具を用いて、眼内レンズ１０を嚢内で位置調節することによって、眼光学の中心軸に対して光学部１２の光軸が略一致するように、眼内レンズ１０が嚢に対して位置決めすることも併せて行われ得る。【００６１】
このような本実施形態に従う構造とされたワンピース型の眼内レンズ１０においては、支持部１６，１６の突出先端部分における支持部後面２８，２８から突起部３２，３２が突出形成されている。これにより、眼内への眼内レンズ１０の挿入時等において、支持部１６，１６が光学部１２の光学面（光学部前面１８）に重ね合わせられて、当接せしめられる場合に、突起部３２，３２の突出先端が光学部１２に当接することにより、支持部後面２８，２８の略全面が光学部１２に接触せしめられることを防ぐことが出来る。それ故、支持部後面２８，２８の略全面が光学部１２の光学面に接触して粘着せしめられる場合に比して、粘着する面積が小さく抑えられることとなって、大きな粘着力が発生することを防ぐことが出来る。従って、細長いロッド状とされている支持部１６，１６の比較的小さな弾性力でも、十分に粘着状態が解除されて、眼内への眼内レンズ１０の挿入後にかかる弾性力によって支持部１６，１６が展開し、安定して初期形状に復元されるのである。【００６２】
特に本実施形態では、突起部３２，３２が半球形状とされていることにより、光学部１２に対して突起部３２，３２が突出先端で点当接せしめられることとなる。それ故、光学面に対する支持部１６，１６（突起部３２，３２）の当接面積をより一層有利に小さくすることが出来て、粘着力の低減効果を効果的に発揮せしめることが出来る。【００６３】
さらに、本実施形態では、支持部後面２８，２８の突出先端部分に後面側に向かって突出するように突起部３２，３２を形成する一方、支持部前面２６，２６が略平坦面とされている。これにより、光学部後面２０，２０と重ね合わせられる支持部後面２８，２８に突起部３２，３２を形成して光学部後面２０，２０と支持部後面２８，２８との当接面積を十分に小さくすることが出来ると共に、支持部前面２６，２６を略平坦面とすることにより、支持部１６，１６の厚さ寸法が必要以上に大きくなることを防いで、折畳みやロール状態での眼内レンズ１０のサイズを十分に小さくすることが出来る。【００６４】
以上、本発明の一実施形態について説明してきたが、これはあくまでも例示であって、本発明は、かかる実施形態における具体的な記載によって、何等、限定的に解釈されるものではない。本発明をより正確に理解できるように、本発明の別の具体的な実施形態を、以下に、更に幾つか図示して、例示する。なお、以下の実施形態では、上述の第一の実施形態としての眼内レンズ１０と実質的に同一とされた部材及び部位については、それぞれ、第一の実施形態と同一の符号を図中に付することにより、その詳細な説明を省略する。【００６５】
図４，５には、本発明の第二の実施形態としての眼内レンズにおける要部が示されている。本実施形態に係る眼内レンズでは、一対の支持部１６，１６における支持部後面２８に粘着低減部として一条の突条部３４が形成されている。この突条部３４は、支持部１６，１６の幅方向に略一定の半円形断面をもって連続的に延びており、突条部３４が突出側に向かって凸とされた湾曲面を有するように構成されている。【００６６】
このような、本実施形態に従う構造とされた眼内レンズにおいても、前記第一の実施形態における効果と略同様に支持部１６，１６の光学部１２に対する粘着を有効に防ぐと共に、眼内への挿入後に支持部１６，１６が初期形状に安定して復元されることとなる。また、特に本実施形態においては、挿入時の折畳みやロール状態で支持部１６，１６と光学部１２が線上で接することとなる。それ故、前記第一の実施形態に比して、突条部３４以外の部分での支持部１６，１６と光学部１２との接触を有利に低減乃至は回避することが出来て、より安定して粘着低減効果を得ることが出来る。【００６７】
また、図６，７には、本発明の第三の実施形態としての眼内レンズにおける要部が示されている。即ち、本実施形態に係る眼内レンズでは、支持部１６，１６に後面側に開口する一条の凹溝３６が粘着低減部として形成されている。凹溝３６は、支持部１６，１６の突出先端部分において略一定の半円形断面をもって支持部１６，１６の幅方向に延びるように形成されており、その幅方向両側が支持部１６，１６の幅方向両側端面に開口せしめられている。【００６８】
このような本実施形態に従う構造とされた眼内レンズにおいては、特に粘着が問題となり易い支持部１６，１６の突出先端部分において他の部位（光学部１２の光学面等）に対する当接面積を減少させることが出来て、粘着力の低減を図ることが出来得る。しかも、凹溝３６によってかかる粘着力低減効果を実現することにより、支持部１６，１６の先端部分における光軸方向での厚肉化を有効に防ぐことが出来て、眼内レンズの眼内への挿入時における折畳みやロール状態等でのコンパクト化を一層有利に実現することが出来る。【００６９】
次に、図８には、本発明の第四の実施形態としての眼内レンズの要部が示されている。即ち、本実施形態に係る眼内レンズでは、支持部１６，１６における支持部後面２８，２８に極めて多数の微小凹凸（例えば、１ｍｍ以下の幅および高さの凹凸）が形成されることにより粗面加工が施された粗面部３８，３８によって粘着低減部が構成されている。なお、本実施形態における粗面部３８，３８は、掻き傷状の微細な溝が略格子状に多数形成されることによって構成されているが、このような粗面加工は、モールド成形法における成形用金型の表面に対して、ショットブラストやエッチング、或いは、レーザー照射等の処理を施して凹凸を形成すること等により有利に実現することが出来る。【００７０】
このような本実施形態に従う構造とされた眼内レンズでは、前記第三の実施形態と略同様に、支持部１６，１６の光学部１２等に対する粘着低減効果を有効に得ることが出来ると共に、支持部１６，１６の先端部分における肉厚寸法を小さく抑えることが出来て、挿入時における眼内レンズのコンパクト化を有利に実現できる。【００７１】
しかも、本実施形態における眼内レンズでは、支持部１６，１６に形成された粗面部３８，３８が粗面加工によって実現されていることから、粗面部３８，３８の形成箇所における支持部１６，１６の透明性が低下して、液中での視認性が向上せしめられている。即ち、従来から、実質的に液中での操作となる眼内での眼内レンズの操作性を向上させるべく、支持部の液中における視認性を高める試みが為されており、支持部に着色をするなどの手段が提案されている。しかし、このような方法では、ワンピース型眼内レンズに適用することが難しかったり、材料の限定を余儀なくされたりするといった問題があった。そこで、本実施形態における眼内レンズでは、実質的に液中での操作となる眼内での眼内レンズの操作性を向上させるために、粗面部３８，３８を支持部１６，１６に形成することによって支持部１６，１６の透明性を低下させて、液中においても十分な視認性を確保することに成功したのである。これにより、眼内への挿入後に特定の器具を用いて眼内レンズの位置合せを行う場合に、房水や粘弾性物質等が充填された眼内における支持部１６，１６の視認性を高めて、眼内における眼内レンズの操作性の向上を図ることが出来る。【００７２】
また、支持部に形成される突起の形状は、前記第一の実施形態における突起部３２の具体的な記載によって何等限定されるものではない。具体的には、例えば、図９，１０には、本発明の第五の実施形態に係る眼内レンズの要部である支持部１６，１６の先端部分が示されている。即ち、図９，１０に示されている支持部１６，１６では、略三角錐状の突起部４０，４０が形成されている。このような形状とされた突起部４０，４０を有する眼内レンズにおいても、前記第一の実施形態と略同様な効果を得ることが出来る。【００７３】
また、図１１，１２には、本発明の第六の実施形態としての眼内レンズの要部である支持部１６，１６の突出先端部分が示されている。本実施形態に係る眼内レンズの支持部１６，１６の突出先端部分には、光軸方向に突出する略直方体形状の突起部４２，４２が形成されている。このような形状とされた突起部４２，４２を有する眼内レンズにおいては、前記第一の実施形態において示された突起部４２，４２に比して光学部１２等に対する当接面積が大きくなるため、より安定した当接状態を得ることが出来て、支持部１６，１６における突起部４２，４２が形成されていない部分が光学部１２等に当接せしめられることを有効に防ぎ、支持部１６，１６の光学部１２に対する粘着を効果的に低減することが出来る。【００７４】
更に、図１３，１４には、本発明の第七の実施形態としての眼内レンズの要部である支持部１６，１６の突出先端部分が示されている。本実施形態に係る眼内レンズにおける支持部１６，１６の突出先端部分には、光軸方向で突出するように形成されて、略一定の台形断面で幅方向に延びるように形成された突起部４４，４４が形成されている。特に本実施形態では、突起部４４，４４の突出先端縁部における支持部１６，１６の先端側の角が鈍角によって構成されている。このような本実施形態に従う形状とされた突起部４４，４４を有する眼内レンズにおいては、前記第六の実施形態と略同一の効果を発揮せしめることが出来ると共に、特に嚢の内面に強く当接せしめられる場合が多い支持部１６，１６の突出先端部分の角を鈍角とすることにより、当接による刺激を緩和することが出来る。【００７５】
また、前記第二の実施形態に示された突条部３４，３４の具体的な記載によって突条の形状が何等限定されるものではなく、四角形断面や三角形断面など各種の断面形状を有する突条部も採用され得る。更に、図１５，１６に示されている本発明の第八の実施形態としての眼内レンズにおける支持部１６，１６に形成された突条部４６，４６のように、支持部１６，１６の幅方向に対して光軸直角方向で傾斜して延びるように形成されていても良い。更にまた、突条の断面形状は必ずしも略一定である必要はなく、例えば、図１７，１８に示されている本発明の第九の実施形態としての眼内レンズにおける支持部１６，１６に形成された突条部４８，４８のように、延出方向で突出高さが変化していても良い。なお、第九の実施形態における突条部４８，４８は、背面視で略直交するように二条形成されている。【００７６】
また、支持部１６，１６に形成される凹溝は、前記第三の実施形態における凹溝３６，３６の具体的な記載によって何等限定されるものではない。具体的には、例えば、図１９，２０には、本発明の第十の実施形態としての眼内レンズの要部である支持部１６，１６の突出先端部分が示されている。かかる支持部１６，１６の突出先端部分には、略一定の三角形断面で支持部１６，１６の幅方向に延びるように形成されて、支持部１６，１６の幅方向両側面に開口するように形成された凹溝５０，５０が設けられている。また、図２１，２２には、本発明の第十一の実施形態としての眼内レンズの要部である支持部１６，１６の突出先端部分が示されている。かかる支持部１６，１６の突出先端部分には、略一定の台形断面で支持部１６，１６の幅方向両側面に開口するように延びる凹溝５２，５２が形成されている。このような第十，第十一の実施形態に従う構造とされた眼内レンズにおいても、前記第三の実施形態における眼内レンズと略同様な効果を発揮せしめることが可能である。なお、粘着低減部を構成する凹溝においても、必ずしも一定の断面形状で延びるように形成されている必要はなく、溝深さや溝幅等が変化するように形成されていても良い。【００７７】
また、凹溝は、幅方向両側に開口するように形成されていると共に、突出先端側に開口せしめられていても良い。具体的には、例えば、図２３，２４に示されているように、支持部１６，１６の突出先端部分の後面側が略四分円状の断面形状で幅方向に延びるように形成された切欠部５４によって、折畳みやロール時における支持部１６，１６の先端部分の光学部１２等との当接面積が減少せしめられることにより、粘着低減効果を得ることも可能である。【００７８】
また、前記第四の実施形態に記載されているように、支持部１６，１６に粘着低減部として粗面部を設ける場合には、前記第四の実施形態に示されているような斜め格子状の溝によって構成された粗面部３８，３８に限定されるものではなく、無数の微細な凹凸や溝等の各種形状が採用され得る。具体的には、例えば、図２５には、本発明の第十二の実施形態としての眼内レンズにおける支持部１６，１６の突出先端部分に形成された粗面部５６，５６が示されている。即ち、本実施形態における粗面部５６，５６は、略幅方向に延びるように形成されたシボ状とされている。即ち、粗面部５６は、支持部１６の略幅方向に延びる多数条の細かい線状凹凸が表面に付されており、全体としてバーコード状の凹凸態様とされている。このような粗面部５６，５６を有する本実施形態に従う構造の眼内レンズにおいても、前記第四の実施形態と略同一の効果を発揮せしめることが出来る。【００７９】
また、前記突起，突条，凹溝，粗面部は、何れも、支持部１６，１６上の複数箇所において複数が形成されていても良い。具体的には、例えば、図２６〜３１に示されているような形状で粘着低減部を構成することも可能である。これら図２６〜３１に示されているように、複数の突起，突条，凹溝，粗面部を支持部１６に形成することにより、支持部１６，１６の光学部等への当接状態を安定させることが出来て、支持部１６，１６の光学部１２等への粘着低減効果を有効に発揮せしめることが出来る。【００８０】
更に、突起部３２，４０，４２，４４や突条部３４，４６，４８、凹溝３６，５０，５２或いは粗面部３８，５６などは、複数を組み合わせて支持部１６，１６に形成することも可能である。具体的には、例えば、図３２，３３に示されている眼内レンズの要部では、支持部１６，１６に複数条の凹溝３６，３６，３６が形成されていると共に、その突出先端部には、切欠部５４が形成されている。このような図３２，３３に示された要部を有する眼内レンズでは、隣り合う凹溝３６，３６又は凹溝３６と切欠部５４の間において、幅方向に延びる薄肉の突条が形成されており、かかる突条が光学部１２などに当接せしめられることにより、支持部１６，１６と光学部１２等との当接面積を小さくすることが出来て、粘着防止効果を発揮せしめることが出来る。特に、複数条の凹溝３６，３６，３６と切欠部５４を形成することにより、前記突条を複数条形成することが出来て、安定した当接状態を実現することが出来る。また、図３４，３５に示されている眼内レンズの支持部１６，１６には、複数条の突条部３４，３４，３４，３４が形成されていると共に、隣り合う二条の突条部３４，３４の間に各一条の凹溝３６が形成されている。このような図３４，３５に示された眼内レンズによれば、粘着低減部が形成された位置における支持部１６，１６の肉厚を著しく大きくすることなく、有利に突条部３４，３４，３４，３４の突出高さを得ることが出来て、粘着低減効果を安定して発揮せしめることが出来る。なお、複数の突起，突条，凹溝，粗面を巧く組み合わせることによって、各形状を支持部１６に形成する場合に得られ得る効果を複合的に発揮せしめて、優れた効果を有利に得ることもでき得る。【００８１】
また、凹溝や粗面部等は、必ずしも支持部１６，１６の前後一方の面にのみ形成されていなくても良く、例えば、支持部の前後両面２６，２８に対して凹溝等を形成しても良い。これによれば、光学部１２に対して、支持部１６，１６の前後何れの面が重ね合わせられても有効に粘着性低減効果を発揮できる。このような支持部両面に対する粘着低減部の形成は、挿入時に挿入方向前方側に位置せしめられる支持部１６，１６において特に有効である。即ち、挿入方向前方側の支持部１６，１６は、プランジャによって押し込まれる時に挿入器具の周壁との摩擦等によって自然に折り曲げられて光学部１２上に重ね合わせられることから、光学部１２の所定の面に重ね合わせられるように折り曲げることが比較的難しい。それ故、支持部前後両面２６，２８に粘着低減部を形成することによる効果が有効に発揮され得る。特に、粗面部は、支持部前後両面２６，２８に形成されても形成箇所における支持部１６，１６の局所的な薄肉化や厚肉化が問題となり難いことから、支持部１６，１６の前後両面２６，２８に粘着低減部を形成する場合に好適に採用され得る。【００８２】
また、粘着低減部を構成する突起部３２，４０，４２，４４や突条部３４，４６，４８、凹溝３６，５０，５２或いは粗面部３８，５６等は、前記各実施形態に示されていたように、挿入時の折畳みやロール状態で特に光学部１２等に重ね合わせられ易い支持部１６，１６の突出先端部分を含んで形成されていることが望ましいが、粘着低減部を構成する突起，突条，凹溝，粗面部等の形成箇所は必ずしも支持部１６，１６の突出先端部分に限定されるものではなく、支持部１６，１６の突出方向中間部分に形成されていても良いし、支持部１６，１６の基端側端部から突出先端までの略全面に亘って形成されていても良い。【００８３】
また、支持部１６，１６の形状は、前記各実施形態における具体的な記載によって何等限定されるものではない。具体的には、例えば、図３６〜図３９に示されているような、各種形状の支持部が採用され得る。【００８４】
すなわち、図３６に示された眼内レンズ５８では、支持部６０，６０がその中間の一部において二股に分岐しており、該中間の一部よりも突出先端側の部分がそれぞれ光学部１２の周方向に沿うように湾曲して、互いに反対向きに延び出している。このような支持部６０，６０を有する眼内レンズ５８によれば、嚢への挿入状態において一層安定して光学部１２を固定的に支持することが可能となる。【００８５】
また、図３７に示された眼内レンズ６２では、支持部６４，６４において連結部１４の外周面に接続されている側である基端部分６６が先端部分６８に比して幅広形状とされていると共に、先端部分６８が光学部１２の周方向に沿うように湾曲せしめられている。このような支持部６４，６４を有する眼内レンズ６２によれば、比較的幅広とされた基端部分６６によって十分な剛性を確保することが出来て、光学部１２を所定の位置に安定して位置決め固定することが出来ると共に、先端部分６８が比較的細く形成されていることにより十分な柔軟性が得られて、嚢の内面に対する支持部６４，６４の当接によって嚢が損傷したり、眼内レンズ６２が当接反力によって破損することを防ぐことが出来る。【００８６】
さらに、図３８に示された眼内レンズ７０では、支持部７２が略直線的に延びるロッド状とされていると共に、その中間の一部において光軸直角方向で屈曲せしめられている一方、該中間の一部よりも連結部１４側である基端部分７４が突出先端部分７６に比して幅広形状とされている。このような支持部７２，７２を有する眼内レンズ７０によれば、前記図３７に示された眼内レンズ６２と略同様の効果を発揮せしめることが出来ると共に、支持部７２，７２の突出先端を嚢の内面に対してより強く係合せしめることが出来る。【００８７】
また、図３９に示された眼内レンズ７８では、支持部８０の全体が略鉤状に屈曲せしめられている。より詳細には、一対の支持部８０，８０は、光学部１２の径方向一方向で対向位置せしめられると共に、径方向外方に向かって突出せしめられており、中間の一部において屈曲乃至は湾曲せしめられて、光学部１２の周方向に沿うように一定の長さで延びる一対の中間部分８２，８２が、互いに同じ周方向に向かって延びるように形成されている。更に、中間部分８２，８２の一部において、再び屈曲乃至は湾曲せしめられており、中間部分８２，８２とは周方向で反対向きに延びる先端部分８４，８４が形成されている。本実施形態では、中間部分８２と先端部分８４は、略同心円状に延びていると共に、先端部分８４が中間部分８２よりも大きな曲率半径を持つように形成されている。このような支持部８０を有する眼内レンズ７８によれば、葛折状に屈曲せしめられた鉤形状とされていることにより、嚢の内部に埋植せしめられる場合に当接によって嚢に作用せしめられる応力を有利に緩衝することが出来て、嚢の損傷などの問題を回避できる。【００８８】
また、図３７，３８に示されている支持部６４，７２のように、支持部の幅寸法が基端側と先端側で変化しても良いと共に、支持部の光軸方向での寸法である厚さ寸法も、支持部に要求される強度などの特性に応じて適宜に設定されて良い。具体的には、例えば、支持部が、その突出先端側に向かって次第に薄肉とされていても良く、このような支持部を採用することにより、突出先端部分の強度を下げて、当接時の反力を抑えることが出来ると共に、基端部分の強度を十分に確保して、支持部による眼内レンズの位置決め作用を十分に発揮せしめることが出来る。【００８９】
また、支持部と連結部の接続部位への応力の集中を軽減させるためには、前記各実施形態に示されているように、支持部の基端側端部の幅方向両側にアール状の拡幅部を設けて、連結部との接続部分に向かって次第に拡幅せしめられていることが望ましい。しかしながら、このようなアール状の拡幅部を支持部の基端側端部に必ずしも設ける必要はない。【００９０】
また、前記各実施形態における連結部１４，１４は、必ずしも必要ではなく、一対の支持部１６，１６が光学部１２の外周縁部から光軸直角方向外方に向かって延び出すように直接的に形成されていても良い。更に、連結部の形状は前記各実施形態における具体的な記載によって何等限定されるものではなく、全周に亘って形成される略円環形状等、各種形状が適宜に採用され得る。【００９１】
その他、一々列挙はしないが、本発明は、当業者の知識に基づいて種々なる変更，修正，改良等を加えた態様において実施され得るものであり、また、そのような実施態様が、本発明の趣旨を逸脱しない限り、何れも、本発明の範囲内に含まれるものであることは、言うまでもない。
【図１】
0005026261.tif 000002
【図２】
0005026261.tif 000003
【図３】
0005026261.tif 000004
【図４】
0005026261.tif 000005
【図５】
0005026261.tif 000006
【図６】
0005026261.tif 000007
【図７】
0005026261.tif 000008
【図８】
0005026261.tif 000009
【図９】
0005026261.tif 000010
【図１０】
0005026261.tif 000011
【図１１】
0005026261.tif 000012
【図１２】
0005026261.tif 000013
【図１３】
0005026261.tif 000014
【図１４】
0005026261.tif 000015
【図１５】
0005026261.tif 000016
【図１６】
0005026261.tif 000017
【図１７】
0005026261.tif 000018
【図１８】
0005026261.tif 000019
【図１９】
0005026261.tif 000020
【図２０】
0005026261.tif 000021
【図２１】
0005026261.tif 000022
【図２２】
0005026261.tif 000023
【図２３】
0005026261.tif 000024
【図２４】
0005026261.tif 000025
【図２５】
0005026261.tif 000026
【図２６】
0005026261.tif 000027
【図２７】
0005026261.tif 000028
【図２８】
0005026261.tif 000029
【図２９】
0005026261.tif 000030
【図３０】
0005026261.tif 000031
【図３１】
0005026261.tif 000032
【図３２】
0005026261.tif 000033
【図３３】
0005026261.tif 000034
【図３４】
0005026261.tif 000035
【図３５】
0005026261.tif 000036
【図３６】
0005026261.tif 000037
【図３７】
0005026261.tif 000038
【図３８】
0005026261.tif 000039
【図３９】
0005026261.tif 000040